(57)【要約】      （修正有）【課題】バッテリーレンタルのための方法を提供する。【解決手段】バッテリーレンタルのための方法は、車両に使用されるためにバッテリーデバイスのレンタル契約のタイプを示す契約識別子を取得するステップ２０と、契約識別子をバッテリーデバイスに記憶するために送信するステップ２１と、車両に対応する車両識別子をバッテリーデバイスに記憶するために送信するステップ２３と、契約識別子と前記車両識別子をクラウドサーバーに記憶するために送信するステップ２５とを含む。【選択図】図２
2019164770.tif 000002
【特許請求の範囲】
【請求項１】
（ＳＴ−１）バッテリーレンタルサービスを提供するサービスエンドのサービスエンド電子装置（１１）により、バッテリーデバイス（１２）のレンタル契約のタイプを示す契約識別子を取得し、前記契約識別子を前記バッテリーデバイスに記憶するために前記契約識別子を前記バッテリーデバイス（１２）に送信するステップであって、前記サービスエンド電子装置（１１）は通信ネットワーク（１０）を経てクラウドサーバー（１３）と通信可能に連結され、前記バッテリーデバイス（１２）は前記サービスエンドによりレンタルのために貸し出されまた車両（１５）に使用されるものである、ステップと、
（ＳＴ−２）前記サービスエンド電子装置（１１）により、前記車両（１５）に対応する車両識別子と前記バッテリーデバイス（１２）に対応するバッテリー識別子とを、前記バッテリーデバイス（１２）に前記車両識別子と前記バッテリー識別子とを記憶するために前記バッテリーデバイス（１２）に送信するステップと、
（ＳＴ−３）前記サービスエンド電子装置（１１）により、前記車両識別子、前記バッテリー識別子及び前記契約識別子を前記クラウドサーバー（１３）に送信するステップと、
（ＳＴ−４）前記クラウドサーバー（１３）により、前記車両識別子、前記バッテリー識別子及び前記契約識別子を受け取ってから、前記車両識別子、前記バッテリー識別子及び前記契約識別子を前記クラウドサーバー（１３）に記憶し、前記車両識別子、前記バッテリー識別子及び前記契約識別子の間の関連性の注釈付けを行なうステップと、
を有する設定手続きを含むバッテリーレンタルのための方法。
【請求項２】
前記設定手続きは更に、前記ステップ（ＳＴ−１）と前記ステップ（ＳＴ−２）との間に、前記サービスエンド電子デバイス（１１）により、前記車両（１５）に対応するユーザーのユーザーエンド電子装置（１４）に表示されたユーザーバーコードからユーザー識別子を取得し、前記ユーザー識別子を前記バッテリーデバイス（１２）に記憶するために前記バッテリーデバイス（１２）に送信することを更に有する、請求項１に記載の方法。
【請求項３】
前記設定手続きの後に、
（ＳＶ−１）前記サービスエンド電子装置（１１）により、前記バッテリーデバイス（１２）から前記契約識別子を取得するステップと、
（ＳＶ−２）前記サービスエンド電子装置（１１）により、前記ステップ（ＳＶ−１）で取得された前記契約識別子が所定値に対応するかどうかを判定するステップと、
（ＳＶ−３）前記サービスエンド電子装置（１１）により、前記（ＳＶ−２）にて前記契約識別子が前記所定値に対応すると判定した場合、前記バッテリーデバイス（１２）を充電することを指示する充電メッセージを表示するステップと、
（ＳＶ−４）前記サービスエンド電子装置（１１）により、前記ステップ（ＳＶ−２）にて前記契約識別子が前記所定値に対応しないと判定した場合、前記バッテリーデバイス（１２）を他のバッテリーデバイス（１２）に交換することを指示する交換メッセージを表示するステップと
を有するサービス手続きを更に含む、請求項２に記載の方法。
【請求項４】
前記ステップ（ＳＴ−３）は更に、前記サービスエンド電子装置（１１）により、前記ユーザー識別子を前記クラウドサーバー（１３）に送信することを含み、
前記ステップ（ＳＴ−４）は更に、前記サービスエンド電子装置（１１）により、前記ユーザー識別子を前記サービスエンド電子装置（１１）に記憶し、前記ユーザー識別子、前記車両識別子、前記バッテリー識別子及び前記契約識別子の間の関連性の注釈付けを行なうことを含む、請求項２に記載の方法。
【請求項５】
前記ステップ（ＳＴ−２）は、
前記サービスエンド電子装置（１１）により、前記車両（１５）に配置され前記車両識別子に対応する車両バーコードから前記車両識別子を取得し、
前記前記サービスエンド電子装置（１１）により、前記バッテリーデバイス（１２）に配置され前記バッテリー識別子に対応するバッテリーバーコードから前記バッテリー識別子を取得し、
前記サービスエンド電子装置（１１）により、近距離無線通信（ＮＦＣ）プロトコルに基づき前記車両識別子と前記バッテリー識別子を前記バッテリーデバイス（１２）に送信することを含む、請求項１に記載の方法。
【請求項６】
前記ステップ（ＳＴ−２）において、前記サービスエンド電子装置（１１）は、近距離無線通信（ＮＦＣ）プロトコルに基づき前記車両識別子と前記バッテリー識別子を前記バッテリーデバイス（１２）に送信する、請求項１に記載の方法。
【請求項７】
車両（１５）と、
クラウドサーバー（１３）と、
前記車両（１５）に電力を供給するために、サービスエンドによってレンタルのために貸し出され、前記車両に着脱可能に搭載されるバッテリーデバイス（１２）と、
通信ネットワーク（１０）を経て前記クラウドサーバー（１３）に通信可能に連結された前記サービスエンドのサービスエンド電子装置（１１）とを備え、
前記サービスエンド電子装置（１１）は、
前記バッテリーデバイス（１２）のレンタル契約のタイプを示す契約識別子を取得し、
前記車両（１５）から、前記車両（１５）に対応する前記車両識別子を取得し、
前記バッテリーデバイス（１２）から、前記バッテリーデバイス（１２）に対応するバッテリー識別子を取得し、
前記バッテリーデバイス（１２）に前記契約識別子、前記車両識別子及び前記バッテリー識別子を記憶するために、前記契約識別子、前記車両識別子及び前記バッテリー識別子を前記バッテリーデバイス（１２）に送信するように構成され、
前記クラウドサーバー（１３）は、前記契約識別子、前記車両識別子及び前記バッテリー識別子を受け取ると、前記契約識別子、前記車両識別子及び前記バッテリー識別子の間の関連性の注釈付けを行い、前記契約識別子、前記車両識別子及び前記バッテリー識別子を記憶するように構成される、バッテリーレンタルのためのシステム。
【請求項８】
更に、前記車両（１５）に対応するユーザーのユーザーエンド電子装置（１４）を備え、前記ユーザーエンド電子装置（１４）は、ユーザー識別子に対応するユーザーバーコードを表示するように構成され、
前記サービスエンド電子装置（１１）は、前記ユーザーエンド電子装置（１４）に表示された前記ユーザーバーコードから前記ユーザー識別子を取得し、前記バッテリーデバイス（１２）に前記ユーザー識別子を記憶するため前記バッテリーデバイス（１２）に前記ユーザー識別子を送信し、前記クラウドサーバー（１３）に前記ユーザー識別子を送信するように構成され、
前記クラウドサーバー（１３）は、前記ユーザー識別子を記憶し、前記ユーザー識別子、前記契約識別子、前記車両識別子及び前記バッテリー識別子の間の関連性の注釈付けを行なうように構成されている、請求項７に記載のシステム。
【請求項９】
前記サービス電子装置（１１）は更に、前記バッテリーデバイス（１２）に記憶された前記契約識別子を取得し、前記バッテリーデバイス（１２）に記憶された前記契約識別子が所定値に対応するかどうかを判定し、前記バッテリーデバイス（１２）に記憶された前記契約識別子が前記所定値に対応すると判定した場合、前記バッテリーデバイス（１２）を充電することを指示する充電メッセージを表示し、前記バッテリーデバイス（１２）に記憶された前記契約識別子が前記所定値に対応しないと判定した場合、前記バッテリーデバイス（１２）を他のバッテリーデバイス（１２）に交換することを指示する交換メッセージを表示するように構成される、請求項７に記載のシステム。
【請求項１０】
前記車両（１５）は、前記車両に配置された前記車両識別子に対応する車両バーコードを有し、前記バッテリーデバイス（１２）は、前記バッテリーデバイスに配置された前記バッテリー識別子に対応するバッテリーバーコードを有し、
前記サービスエンド電子装置（１１）は、前記車両バーコードと前記バッテリーバーコードとからそれぞれ前記車両識別子と前記バッテリー識別子とを取得するように構成される、請求項７に記載のシステム。
【請求項１１】
前記サービスエンド電子装置（１１）と前記バッテリーデバイス（１２）とはそれぞれ、近距離無線通信（ＮＦＣ）モジュール（１１１、１２１）を有し、
前記サービスエンド電子装置（１１）の前記ＮＦＣモジュールはＮＦＣプロトコルに基づき前記バッテリーデバイス（１２）の前記ＮＦＣモジュールと通信するように構成され、前記契約識別子、前記車両識別子及び前記バッテリー識別子を前記バッテリーデバイス（１２）に送信する、請求項７に記載のシステム。
【発明の詳細な説明】
【技術分野】
【０００１】
本開示は、レンタル方法及びレンタルシステムに関し、特にはバッテリーレンタル方法及びバッテリーレンタルシステムに関する。
【背景技術】
【０００２】
一般的には、電動車両はバッテリーデバイスを動力源として使用し、バッテリーデバイスは通常着脱可能に電動車両に搭載されているので、電力がなくなる又は故障した時には取り替えることができる。電動車両のユーザーは、電動車両の販売業者とバッテリーレンタル契約を結ぶことによって、販売業者から電動車両のためのバッテリーを借りることができる。
【０００３】
契約の有効期間内では、ユーザーは、販売業者の充電ステーションでバッテリーデバイスを充電することができる。しかしながら、充電ステーションにおいて異なるユーザーに属するが外見は似たような複数のバッテリーデバイスが同時に充電されている場合、ユーザーは間違えて他人のバッテリーデバイスを取ってしまう可能性がある。また、同様の外見を有する複数のバッテリーデバイスは、販売業者にとっても管理し難い。
【０００４】
台湾特許出願公開第２０１０２０９４６号には、電動車両のためのレンタル管理システム及び方法が開示されている。当該システムは、電動車両の状態を検視することによって電動車両のレンタル料金を算出する。
【発明の概要】
【発明が解決しようとする課題】
【０００５】
そこで、本開示は、従来技術の問題点の少なくとも１つを解消するバッテリーレンタルのための方法を提供することを課題とする。
【課題を解決するための手段】
【０００６】
本開示は、バッテリーレンタルサービスを提供するサービスエンドのサービスエンド電子装置により、バッテリーデバイスのレンタル契約のタイプを示す契約識別子を取得し、前記契約識別子を前記バッテリーデバイスに記憶するために前記契約識別子を前記バッテリーデバイスに送信するステップであって、前記サービスエンド電子装置は通信ネットワークを経てクラウドサーバーと通信可能に連結され、前記バッテリーデバイスは前記サービスエンドによりレンタルのために貸し出されまた車両に使用されるものである、ステップと、
前記サービスエンド電子装置により、前記車両に対応する車両識別子と前記バッテリーデバイスに対応するバッテリー識別子とを、前記バッテリーデバイスに前記車両識別子と前記バッテリー識別子とを記憶するために前記バッテリーデバイスに送信するステップと、
前記サービスエンド電子装置により、前記車両識別子、前記バッテリー識別子及び前記契約識別子を前記クラウドサーバーに送信するステップと、
前記クラウドサーバーにより、前記車両識別子、前記バッテリー識別子及び前記契約識別子を受け取ってから、前記車両識別子、前記バッテリー識別子及び前記契約識別子を前記クラウドサーバーに記憶し、前記車両識別子、前記バッテリー識別子及び前記契約識別子の間の関連性の注釈付けを行なうステップと、
を有する設定手続きを含むバッテリーレンタル方法を提供する。
【０００７】
また、本開示は、従来技術の問題点の少なくとも１つを解消するバッテリーレンタルのためのシステムを提供することも課題とする。
【０００８】
そこで、本開示は、
車両と、
クラウドサーバーと、
前記車両に電力を供給するために、サービスエンドによってレンタルのために貸し出され、前記車両に着脱可能に搭載されるバッテリーデバイスと、
通信ネットワークを経て前記クラウドサーバーに通信可能に連結された前記サービスエンドのサービスエンド電子装置とを備え、
前記サービスエンド電子装置は、（ｉ）前記バッテリーデバイスのレンタル契約のタイプを示す契約識別子を取得し、（ｉｉ）前記車両から、前記車両に対応する前記車両識別子を取得し、（ｉｉｉ）前記バッテリーデバイスから、前記バッテリーデバイスに対応するバッテリー識別子を取得し、（ｉｖ）前記バッテリーデバイスに前記契約識別子、前記車両識別子及び前記バッテリー識別子を記憶するために、前記契約識別子、前記車両識別子及び前記バッテリー識別子を前記バッテリーデバイスに送信し、（ｖ）前記契約識別子、前記車両識別子及び前記バッテリー識別子を、前記通信ネットワークを経て、前記クラウドサーバーに送信するように構成される。前記クラウドサーバーは、前記契約識別子、前記車両識別子及び前記バッテリー識別子を受け取ると、前記契約識別子、前記車両識別子及び前記バッテリー識別子の間の関連性の注釈付けを行い、前記契約識別子、前記車両識別子及び前記バッテリー識別子を記憶するように構成される、
バッテリーレンタルのためのシステムを提供する。
【０００９】
本開示の他の特徴および利点は、添付の図面を参照する以下の実施形態の詳細な説明において明白になるであろう。
【図面の簡単な説明】
【００１０】
【図１】本開示に係るバッテリーレンタルのためのシステムの一例を示すブロック図である。
【図２】本開示に係るバッテリーレンタルのための方法の実施例のステップを示すフローチャートである。
【図３】バッテリーレンタルのための方法の実施例においてバッテリーデバイスを車両に結びつけるステップを示すフローチャートである。
【発明を実施するための形態】
【００１１】
本開示をより詳細に説明する前に、適切と考えられる場合において、符号又は符号の末端部は、同様の特性を有し得る対応の又は類似の要素を示すために各図面間で繰り返し用いられることに留意されたい。
【００１２】
図１を参照すると、本例に係るバッテリーレンタルのためのシステム１は図示の如く、サービスエンドのサービスエンド電子装置１１と、サービスエンドによって貸し出されるバッテリーデバイス１２と、通信ネットワーク（例えばインターネット）１０を経てサービスエンド電子装置１１と通信可能に接続されたクラウドサーバー１３と、通信ネットワーク１０を経てクラウドサーバー１３と通信可能に接続されたユーザーエンド電子装置１４と、ユーザーエンド電子装置１４を持っているユーザーに対応する（例えばユーザーによって用いられる、ユーザーによって所有される）車両１５とを備えている。一例では、サービスエンド電子装置１１はモバイル装置、例えば電動車両販売業者の近距離無線通信（ｎｅａｒ  ｆｉｅｌｄ  ｃｏｍｍｕｎｉｃａｔｉｏｎ；ＮＦＣ）に対応したスマートフォン又はＮＦＣに対応したタブレットコンピュータである。ユーザーエンド電子装置１４は、例えばＮＦＣに対応したスマートフォン等のユーザーによって持たれるモバイル装置である。
【００１３】
この例では、サービスエンド電子装置１１はＮＦＣ（ｎｅａｒ  ｆｉｅｌｄ  ｃｏｍｍｕｎｉｃａｔｉｏｎ）モジュール１１１を有し、バッテリーデバイス１２はＮＦＣモジュール１２１を有し、これによりＮＦＣモジュール１１１はＮＦＣプロトコルを用いてＮＦＣモジュール１２１と通信し、サービスエンド電子装置１１とバッテリーデバイス１２との間のデータ転送が可能になる。バッテリーデバイス１２は、サービスエンド（例えば車両１５の業者）から車両１５に対応するユーザーに貸し出された着脱式バッテリーであり、電力を車両１５に供給するように車両１５に着脱可能に装着される。更に、バッテリーデバイス１２は、データを記憶する記憶媒体（例えば、フラッシュメモリ（図示せず））を備える。車両１５は、モーターサイクル、カー、バス等の形式に製造された全電動式の電動車両又はハイブリッド電動車両である。この例では、車両１５は、電動式自動二輪車として例示されるが、これに制限されない。
【００１４】
バッテリーレンタルのための方法のステップを示す図２を更に参照すると、システム１は、サービスエンドからバッテリーデバイス１２を借りるにあたってユーザーが利用できる複数の異なるタイプのバッテリーレンタル契約に適用する方法を実施するために用いられ、これにより、ユーザーによって借りられたバッテリーデバイス１２を車両１５に結びつけ、バッテリーデバイス１２が車両１５のみにより使用されるよう又は電力を車両１５のみに提供するよう制限することができる。
【００１５】
ステップ２０では、サービスエンド電子装置１１はバッテリーデバイス１２のレンタル契約のタイプを示す契約識別子を取得し、取得された契約識別子をＮＦＣプロトコルを用いてバッテリーデバイス１２に送信し、契約識別子をバッテリーデバイス１２に記憶する。
【００１６】
サービスエンドは、ユーザーによる選択に供するために複数の異なるタイプのレンタル契約（場合によっては契約形式ともいう）を提供する。例えば、異なる契約形式は、長期レンタル契約と短期レンタル契約とを含むが、本開示ではこれに制限されない。実際には、ユーザーによって選ばれた契約形式が長期レンタル契約（又は短期レンタル契約）である場合、サービスエンド電子装置１１は、長期レンタル契約（又は短期レンタル契約）に対応する契約バーコードから契約識別子を取得するが、本開示ではこの実施に制限されない。
【００１７】
ステップ２１では、サービスエンド電子装置１１は、ユーザーエンド電子装置１４に表示されたユーザーバーコードからユーザー識別子を取得し、取得したユーザー識別子を、バッテリーデバイス１２に記憶するため、ＮＦＣプロトコルを用いてバッテリーデバイス１２に送信する。
【００１８】
実際では、ユーザーは、ユーザーエンド電子装置１４を用い、クラウドサーバー１３からダウンロードしたアプリケーションプログラム（ＡＰＰ）をインストールし、個人データの登録／認証を行ってユーザー識別子を取得するためにＡＰＰから提供された登録ウェブページにアクセスすることができる。個人データには、例えば車両１５の車両ライセンス、ドライバーライセンス、名前、住所、電話番号等に関する情報を含む。
【００１９】
ステップ２２では、契約識別子とユーザー識別子を受信すると、バッテリーデバイス１２は受信した契約識別子とユーザー識別子を記憶媒体に記憶する。
【００２０】
ステップ２３では、バッテリーデバイス１２に車両識別子とバッテリー識別子とを記憶するため、サービスエンド電子装置１１は車両１５に関連する車両識別子とバッテリーデバイス１２に関連するバッテリー識別子とをバッテリーデバイス１２に送信する。
【００２１】
図３を参照すると、この例においてステップ２３はサブステップ２３１〜２３３を有する。
【００２２】
サブステップ２３１では、サービスエンド電子装置１１は、車両識別子に関連し車両１５に配置された車両バーコードから車両識別子を取得する。
【００２３】
実際では、車両１５の製造業者は、販売のためにサービスエンド（例えば販売業者）に出荷する前に、車両バーコードを印刷したステッカーを車両１５の座席の下部又は車両１５のトランク／収納庫の内側に貼り付ける。このようにすると、販売業者はサービスエンド電子装置１１を用いて車両１５に関する貼り付けられたバーコードから車両識別子を取得することができる。なお、車両識別子の取得についてはかかる実施に限られない。
【００２４】
サブステップ２３２では、サービスエンド電子装置１１は、バッテリーデバイス１２に装着されたバッテリー識別子に関するバッテリーバーコードからバッテリー識別子を取得する。
【００２５】
実際では、バッテリーデバイス１２の製造業者は、販売又はレンタルのためにサービスエンド（例えば販売業者）に出荷する前に、バッテリーバーコードを印刷したステッカーをバッテリーデバイス１２に貼り付ける。このようにすると、販売業者はサービスエンド電子装置１１を用いて貼り付けられたバッテリーデバイス１２に関するバッテリーバーコードからバッテリー識別子を取得することができる。なお、バッテリー識別子の取得についてはかかる実施に限られない。
【００２６】
ここでは、契約バーコード、ユーザーバーコード、車両バーコード、バッテリーバーコードのそれぞれは、一次元又は二次元のバーコード（例えばＱＲコード（ｑｕｉｃｋ  ｒｅｓｐｏｎｓｅ  ｃｏｄｅ）であってもよいが、これに制限されない。
【００２７】
サブステップ２３３では、サービスエンド電子装置１１は、ＮＦＣプロトコルを介してバッテリーデバイス１２に車両識別子とバッテリー識別子を送信する。
【００２８】
ステップ２４では、車両識別子とバッテリー識別子とを受信すると、バッテリーデバイス１２は受信した車両識別子とバッテリー識別子とを記憶媒体に記憶する。
【００２９】
ステップ２０〜２４を行うことによって、バッテリーデバイス１２は車両１５に結び付けられる。実際では、バッテリーデバイス１２が車両１５に搭載されるたびに、車両１５に記憶された車両識別子（車両１５の製造業者が車両１５をサービスエンドに出荷する前に車両に貼り付けられたステッカーに印刷された車両１５に対応する車両バーコードに関連する車両識別子）がバッテリーデバイス１２の記憶媒体に記憶された車両識別子と同じかどうかを車両制御ユニット（ＶＣＵ）１５１を用いて判別する。この判別が肯定である場合、ＶＣＵ１５１はバッテリーデバイス１２を起動して車両１５に装着されたバッテリー部品（図示せず）への電力の供給し始める。そうでない場合、ＶＣＵ１５１は、バッテリーデバイス１２を起動せず車両１５に装着されたバッテリー部品に給電しない（即ち、バッテリーデバイス１２は電力を供給しない）。
【００３０】
さらに、任意の販売業者が、自分のサービスエンド電子装置を用い、バッテリーデバイス１２の記憶媒体から車両識別子、バッテリー識別子、契約識別子及びユーザー識別子を取得し得る。これにより、バッテリーデバイス１２がどの車両に対応するかを車両識別子に基づいて知ることができ、バッテリーデバイス１２がどの契約タイプに対応するかを契約識別子に基づいて知ることができ、バッテリーデバイス１２がどのユーザーに所有されるかをユーザー識別子に基づいて知ることができる。
【００３１】
ステップ２５では、サービスエンド電子装置１１は通信ネットワーク１０を経てクラウドサーバー１３に車両識別子、バッテリー識別子、契約識別子及びユーザー識別子を送信する。
【００３２】
ステップ２６では、クラウドサーバー１３は、車両識別子、バッテリー識別子、契約識別子及びユーザー識別子を受信すると、車両識別子、バッテリー識別子、契約識別子及びユーザー識別子の間の関連性の注釈付けを行ない、ユーザー識別子、車両識別子、バッテリー識別子及び契約識別子を記憶する。実際では、クラウドサーバー１３は、ユーザー識別子、車両識別子、バッテリー識別子及び契約識別子の間の関連性が記録されたルックアップテーブルを作成することができる。
【００３３】
ステップ２２、２４、２６からも分かるとおり、クラウドサーバー１３とバッテリーデバイス１２の両方にユーザー識別子、車両識別子、バッテリー識別子及び契約識別子が記憶されていることによって、任意の販売業者が自分のサービスエンド電子装置を用い、バッテリーデバイス１２からバッテリー識別子を取得して、取得したバッテリー識別子をクラウドサーバー１３に送信し、そしてクラウドサーバー１３はこれにより、ルックアップテーブルから当該バッテリー識別子に対応するユーザー識別子、車両識別子及び契約識別子を捜し出して、このように捜し出されたユーザー識別子、車両識別子及び契約識別子をサービスエンド電子装置に販売業者の利用に供するため送信する。なお、他の例では、クラウドサーバー１３とバッテリーデバイス１２の一方のみにユーザー識別子、バッテリー識別子、車両識別子及び契約識別子を記憶し、販売業者の照会に供するようにしてもよい．
上述のステップ２０〜２６は、サービスエンドが車両１５をユーザーに売却し、ユーザーに車両１５に用いるバッテリーデバイス１２を貸し出す際に、サービスエンドにおいてバッテリーデバイス１２の契約タイプを設定し、バッテリーデバイス１２を車両１５に結び付けるための設定手続きの説明である。続くステップ２７〜３０は、バッテリーデバイス１２を充電するためにユーザーがサービスエンドに出向く時、又は、バッテリーデバイス１２が電池切れのためサービスエンドですでに充電されたバッテリーデバイス１２と交換する際に、サービスエンドで行われるサービス手続きの説明である。
【００３４】
ステップ２７では、サービスエンド電子装置１１はＮＦＣモジュール１１１を用い、ＮＦＣプロトコルを用いてバッテリーデバイス１２から契約識別子を取得する。なお、契約識別子の取得はこれに限らず、他の例では、サービスエンド電子装置１１はクラウドサーバー１３から契約識別子を取得してもよい。
【００３５】
ステップ２８では、サービスエンド電子装置１１は、契約識別子が所定値に対応するかどうかを判定する。この判定が肯定であれば、ステップ２９に移行し、そうでなければ、ステップ３０に移行する。
【００３６】
実際では、契約識別子が値“１”の場合、レンタル契約のタイプが長期レンタル契約であることを表し、値“０”の場合、短期レンタル契約であることを表すようにしてもよく、また、この例では、所定値は例えば値“１”に設定することが可能である。契約識別子が所定値と同じの場合、即ち、レンタル契約のタイプが長期レンタル契約であり、バッテリーデバイス１２が所定の長期間（例えば１年）だけユーザーに貸し出され、バッテリーデバイス１２がサービスエンド以外の場所（例えば家）でもユーザーによって充電可能となるよう構成される。また、バッテリーデバイス１２が長期レンタル期間中に故障した場合、ユーザーはそのまま販売業者により新しいバッテリーデバイスに取り替えることができる。また、ユーザーがバッテリーデバイス１２を充電のため販売業者の充電ステーションに持ち込んだ場合、ユーザーは販売業者に充電料金を支払う。契約識別子が所定値とは異なる場合、即ち、バッテリーデバイス１２の契約タイプが短期レンタル契約である時、バッテリーデバイス１２はユーザーに所定の短期間（例えば３日間）貸し出され、バッテリーデバイス１２がサービスエンド以外では充電できないように構成される。バッテリーデバイス１２が短期レンタル期間に電池切れになった場合、ユーザーはバッテリーデバイス１２を販売業者の任意の拠点（例えばサービスエンド）で充電され且つ短期レンタルに設定された他のバッテリーデバイス１２に交換することができる。
【００３７】
ステップ２９では、サービスエンド電子装置１１は、ある者（例えばユーザー又は販売業者）にバッテリーデバイス１２の充電を指示する充電メッセージを表示する。バッテリーデバイス１２が長期レンタル契約に対応する場合、ユーザーはバッテリーデバイス１２を充電するために販売業者に充電料金を支払う。  
実際では、バッテリーデバイス１２がサービスエンドの充電ステーションで充電される時、充電ステーションはディスプレイを用いてバッテリーデバイス１２の充電状態（例えばバッテリーデバイス１２の電池残量、充電ステーションから受け取った電力の総量等）を表示する。これによって販売業者は、充電料金の計算や、バッテリーデバイス１２の故障の有無の判断を行なうことができる。バッテリーデバイス１２が故障している場合、販売業者はユーザーのために新しいバッテリーデバイスを持ち出して交換し、車両識別子、バッテリー識別子、契約識別子及びユーザー識別子を新しいバッテリーデバイスへ送信し記憶させる。
【００３８】
ステップ３０では、サービスエンド電子装置１１は、ある者（例えばユーザー又は販売業者）にバッテリーデバイス１２を他のバッテリーデバイスに交換するよう指示する交換メッセージを表示する。バッテリーデバイス１２は短期レンタル契約に対応しているので、販売業者はバッテリーデバイス１２を短期レンタル向けの他のバッテリーデバイスに交換し、車両識別子、バッテリー識別子、契約識別子及びユーザー識別子を他のバッテリーデバイスに送信して記憶させ、元のバッテリーデバイス１２に記憶されているデータのすべてを削除する。
【００３９】
従って、販売業者は契約識別子の異なる値にそれぞれ対応する長期レンタル契約タイプと短期レンタル契約タイプのそれぞれに対応する各種方法によって利益を上げることができる。また、いくつかの例ではユーザー識別子がなくてもよいためステップ２１を省くことができることに留意されたい。
【００４０】
以上の説明をまとめると、開示された実施例に係るバッテリーレンタルのための方法は、例えば長期レンタル契約及び短期レンタル契約などの複数の契約タイプに適用できるので、ユーザーは異なる選択肢を有しそこらから最も望ましい契約タイプを択一することができる。更に、複数の契約タイプでそれぞれ異なる種類のバッテリー充電及び集金方法に対応することができるので、販売業者は複数の方法で利益を得ることができる。バッテリーデバイス１２を車両１５に結び付けることで、バッテリーデバイス１２は電力をバッテリーデバイス１２に記憶された車両コードに対応する車両１５にだけ供給することができ、これによって、間違えて他人のバッテリーデバイス１２を持ってきてしまい、自身の車両がバッテリーデバイス１２に対応しておらずバッテリーデバイス１２からの電力供給を受けられない時には、間違えて他のユーザーのバッテリーデバイス１２を持ってきてしまったことに気づくことができる。さらに、販売業者は、クラウドサーバー１３及び／又はバッテリーデバイス１２から車両識別子、バッテリー識別子、契約識別子及びユーザー識別子を取得できるので、バッテリーレンタルにおいて同じタイプのバッテリーデバイスの管理がより便利になる。
【００４１】
上記の説明では、説明の目的のために、実施形態の完全な理解を提供するために多数の特定の詳細が述べられた。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００４２】
以上、本発明の好ましい実施形態および変化例を説明したが、本発明はこれらに限定されるものではなく、最も広い解釈の精神および範囲内に含まれる様々な構成として、全ての修飾および均等な構成を包含するものとする。
【図１】
2019164770.tif 000003
【図２】
2019164770.tif 000004
【図３】
2019164770.tif 000005
【外国語明細書】
2019164770000001.pdf